(57)【要約】【課題】  強度の増強を図りつつ、不純物を含んだ被熱交換媒体を円滑に流通させることのできるプレート式熱交換器を提供する。【解決手段】  両面に複数の凸条及び凹条の形成された複数の伝熱プレートが積層され、熱交換媒体を流通させる第一流路と被熱交換媒体を流通させる第二流路とが各伝熱プレートを境にして交互に形成され、第二流路を形成すべく隣り合う伝熱プレート同士を部分的に接触させた複数の接触部が一方向に所定間隔をあけて形成され、第二流路は、複数の接触部によって一方向と直交する他方向で並列をなす二つの分割主流路に区画されていることを特徴とする。【選択図】図１
2010085094.tif 000002
【特許請求の範囲】
【請求項１】
両面に複数の凸条及び凹条の形成された複数の伝熱プレートが積層され、熱交換媒体を流通させる第一流路と被熱交換媒体を流通させる第二流路とが各伝熱プレートを境にして交互に形成され、各伝熱プレートに形成された開口が連なって第一流路内に熱交換媒体を流出入させる熱交換媒体流入路及び熱交換媒体流出路が一方向の両端部に形成されるとともに第二流路内に被熱交換媒体を流出入させる被熱交換媒体流入路及び被熱交換媒体流出路が一方向の両端部に形成され、凸条同士が交差衝合する伝熱プレート間に第一流路が形成される一方、凸条同士が非接触の伝熱プレート間に第二流路が形成されたプレート式熱交換器において、第二流路を形成すべく隣り合う伝熱プレート同士を部分的に接触させた複数の接触部が一方向に所定間隔をあけて形成され、第二流路は、複数の接触部によって一方向と直交する他方向で並列をなす二つの分割主流路に区画されていることを特徴とするプレート式熱交換器。
【請求項２】
前記複数の接触部は、伝熱プレートの一方向と直交する他方向の中央部に配置され、一方向における間隔が、第二流路を形成する伝熱プレート同士の被熱交換媒体流入路近傍の間隔よりも広く、且つ二つの分割主流路の他方向の流路幅の最小幅よりも狭く設定されている請求項１に記載のプレート式熱交換器。
【請求項３】
前記複数の接触部は、伝熱プレートの一方向と直交する他方向の中央部に配置され、各接触部の他方向の長さは、第二流路を形成する伝熱プレートの被熱交換媒体流入路近傍の間隔よりも長く、且つ、各分割主流路の他方向の流路幅が被熱交換媒体流入路の入口の開口径の最小径よりも長くなるように設定されている請求項１又は２に記載のプレート式熱交換器。
【発明の詳細な説明】
【技術分野】
【０００１】
本発明は、給湯器や湯沸し器等の種々の機器に採用される熱交換器に関し、特には、複数枚の伝熱プレートが積層されたプレート式熱交換器に関する。
【背景技術】
【０００２】
従来から、給湯器や湯沸かし器等の種々の機器に採用される熱交換器の一つとして、プレート式熱交換器が公知である。かかるプレート式熱交換器は、両面に複数の凸条及び凹条の形成された複数の伝熱プレートが積層され、高温水や蒸気等の熱交換媒体を流通させる第一流路と水や湯等の被熱交換媒体を流通させる第二流路とが各伝熱プレートを境にして交互に形成されている（例えば、特許文献１参照）。
【０００３】
ところで、この種のプレート式熱交換器は、一般的に、隣り合う伝熱プレートの凸条同士を交差衝合（凸条同士を部分的に接触）させることで、各伝熱プレートの間隔（第一流路及び第二流路の幅）を一定に保つようになっているが、第二流路を形成する伝熱プレートの凸条同士を交差衝合させると、湯沸かし器や給湯器に採用したときに被熱交換媒体に混入する髪の毛や繊維等の不純物が凸条同士を接触させた部分に堆積して（引っ掛かって）第二流路を詰まらせてしまうといった問題があるとして、第二流路を形成すべく隣り合う伝熱プレート同士を接触させないように配置したプレート式熱交換器が提供されている（例えば、特許文献２、３参照）。
【０００４】
かかるプレート式熱交換器は、第二流路を形成する伝熱プレート同士が非接触であるため、第二流路内で不純物が引っ掛かって堆積すること（詰まること）がない上に、凸条及び凹条の凹凸形状で被熱交換媒体の流れに適度な乱れを与えつつ該被熱交換媒体を流通させ、第一流路内を流通する熱交換媒体との熱交換を効率的に行うことができるとされている。
【先行技術文献】
【特許文献】
【０００５】
【特許文献１】特開２００５−３２６０７４号公報
【特許文献２】特開２００８−１２１９５５号公報
【特許文献３】特開２００８−１２１９５６号公報
【発明の概要】
【発明が解決しようとする課題】
【０００６】
ところで、近年、炭酸ガス等を加圧して熱交換媒体である高温水を得るヒートポンプ式の給湯器等が普及しつつあり、また、建物の二階以上に設置される浴室や洗面所に給湯できる機種が普及してきている。
【０００７】
そのため、この種の給湯器に採用される熱交換器は、高耐圧化が要求されている。すなわち、建物の二階以上に給湯するヒートポンプ式の給湯器は、建物の二階以上に給湯するために、高圧な被熱交換媒体（水や温水）を流通させるとともに、高圧な熱交換媒体（高温水や蒸気等）を流通させるため、これらの流体圧に耐え得ることが要求されている。
【０００８】
しかしながら、上記構成のプレート式熱交換器は、第二流路を形成する伝熱プレート同士が非接触であるため、第二流路内の被熱交換媒体の流体圧が伝熱プレートに作用する（伝熱プレートが第一流路側に押される）ことで、伝熱プレートが変形して破損してしまう虞がある。すなわち、この種のプレート式熱交換器は、第一流路を形成する伝熱プレートの凸条同士を交差衝合させた状態で伝熱プレート同士がロウ付け等で接合されているため、第一流路内の熱交換媒体の流体圧が作用しても凸条同士の接触で耐えることができるが、第二流路を形成する伝熱プレート同士が非接触であるため、各伝熱プレートの第一流路側（第一流路と隣り合う別の第二流路側）への移動が規制されず、第二流路内の被熱交換媒体の流体圧で伝熱プレートが第一流路側に変形する虞がある。
【０００９】
そうすると、第一流路を形成する伝熱プレートと同様に、第二流路を形成する伝熱プレートの凸条同士を交差衝合させて強度向上を図ることが好ましいことになるが、上述の如く、被熱交換媒体に髪の毛等の不純物が混在しているため、凸条同士を無闇に接触させると不純物の詰まりの原因となってしまう。
【００１０】
そこで、本発明は、斯かる実情に鑑み、強度の増強を図りつつ、不純物を含んだ被熱交換媒体を円滑に流通させることのできるプレート式熱交換器を提供することを課題とする。
【課題を解決するための手段】
【００１１】
本発明に係るプレート式熱交換器は、両面に複数の凸条及び凹条の形成された複数の伝熱プレートが積層され、熱交換媒体を流通させる第一流路と被熱交換媒体を流通させる第二流路とが各伝熱プレートを境にして交互に形成され、各伝熱プレートに形成された開口が連なって第一流路内に熱交換媒体を流出入させる熱交換媒体流入路及び熱交換媒体流出路が一方向の両端部に形成されるとともに第二流路内に被熱交換媒体を流出入させる被熱交換媒体流入路及び被熱交換媒体流出路が一方向の両端部に形成され、凸条同士が交差衝合する伝熱プレート間に第一流路が形成される一方、凸条同士が非接触の伝熱プレート間に第二流路が形成されたプレート式熱交換器において、第二流路を形成すべく隣り合う伝熱プレート同士を部分的に接触させた複数の接触部が一方向に所定間隔をあけて形成され、第二流路は、複数の接触部によって一方向と直交する他方向で並列をなす二つの分割主流路に区画されていることを特徴とする。
【００１２】
上記構成のプレート式熱交換器によれば、凸条同士が交差衝合する伝熱プレート間に第一流路が形成されるので、第一流路において、凸条及び凹条の凹凸形状や凸条同士の衝合する部位の存在で熱交換媒体の流れに適度な乱れを与えつつ該熱交換媒体を熱交換媒体流入路から熱交換媒体流出路に向けて流通させることができる。これにより、熱交換媒体の熱が伝熱プレート（伝熱部）に対して効率よく伝わることになる。
【００１３】
そして、上記プレート式熱交換器は、第二流路を形成すべく隣り合う伝熱プレート同士を部分的に接触させた複数の接触部が一方向に所定間隔をあけて形成され、第二流路は、複数の接触部によって一方向と直交する他方向で並列をなす二つの分割主流路に区画されているので、接触部の存在で伝熱プレートの第一流路側への移動が拘束され、第二流路を流れる被熱交換媒体の流体圧が伝熱プレートに作用しても、該伝熱プレートが第一流路側に押されて変形してしまうことが防止される。
【００１４】
そして、上記プレート式熱交換器は、被熱交換媒体流入路から流入した被熱交換媒体は、一方向で所定間隔をあけて形成された複数の接触部によって区画された各分割主流路で被熱交換媒体流出路に向けて流れることになる。
【００１５】
そして、各分割主流路は、一端側から他端側に向けて延びる流路であるため、各分割主流路で被熱交換媒体が一方向に高速で流れることになる。そのため、第二流路内に不純物が流れ込んでも当該不純物は、各分割主流路の流速の早い中央に引き込まれることになる結果、一方向に間隔をあけて配置された接触部に引っ掛かることなく下流側に流れて被熱交換媒体流出路から流出することになる。また、各伝熱プレートは、第二流路を形成する面においても凸条及び凹条が形成されているため、伝熱面積を広くすることができる上に、凸条及び凹条の凹凸形状で被熱交換媒体の流れに適度な乱れを与えつつ該被熱交換媒体を流通させることができ、第一流路内を流通する熱交換媒体との熱交換を効率的に行うことができる。
【００１６】
本発明の一態様として、前記複数の接触部は、伝熱プレートの一方向と直交する他方向の中央部に配置され、一方向における間隔が、第二流路を形成する伝熱プレート同士の被熱交換媒体流入路近傍の間隔よりも広く、且つ二つの分割主流路の他方向の流路幅の最小幅よりも狭く設定されてもよい。なお、ここで「流路幅の最小幅」とは、分割主流路の他方向の流路幅で最も狭い部分の幅を意味し、例えば、分割主流路の他方向の流路幅が一方向に向けて不均一である場合には、最も狭い部分の流路幅が最小幅となり、分割主流路の他方向の流路幅が一方向に向けて均一である場合には、何れの流路幅も最大で且つ最小であるため、その流路幅が最小幅となる。
【００１７】
このように接触部の間隔を分割主流路の流路幅の最小幅よりも狭く設定することで、分割主流路での被熱交換媒体の流れが主たる流れとなり、分割主流路内の不純物が接触部間に入り込もうとする状態になりにくくすることができる。また、第二流路に流入した不純物が仮に分割主流路から接触部間に入り込んだとしても、接触部間の間隔が伝熱プレートの被熱交換媒体流入路近傍の間隔よりも広いため、接触部間をスムーズに通過することになり、隣の分割主流路に流れ込むことになる。すなわち、伝熱プレートの被熱交換媒体流入路近傍の間隔は、不純物の通過を許容する最小の間隔であるため、接触部の間隔をそれよりも広くすることで不純物が接触部間（両接触部間）を円滑に通過して隣の分割主流路に流れ込むことになる。
【００１８】
本発明の他態様として、前記複数の接触部は、伝熱プレートの一方向と直交する他方向の中央部に配置され、各接触部の他方向の長さは、第二流路を形成する伝熱プレートの被熱交換媒体流入路近傍の間隔よりも長く、且つ、各分割主流路の他方向の流路幅が被熱交換媒体流入路の入口の開口径の最小径よりも長くなるように設定されてもよい。なお、ここで「入口の開口径の最小径」とは、被熱交換媒体流入路の入口の最も狭い部分の径を意味し、例えば、入口が非円形である場合には、最も狭い部分の径が最小径となり、入口が円形である場合には、その直径が最大で且つ最小であるため、その直径が最小径となる。
【００１９】
このようにすれば、第二流路に流入した不純物が接触部間を通過するような状態になっても、接触部に不純物が引っ掛かりにくくなる。すなわち、接触部が他方向の長さが短すぎると、髪の毛等の繊維状の不純物が接触部にくの字状になって引っ掛かり、このような状態になると繊維状の不純物は両側の分割主流路を流れる被熱交換媒体の流れによって両側が引っ張られた状態になる。そのため、接触部に対する引っ掛かりが解消できなくなる。これに対し、接触部の他方向の長さが長すぎると、分割主流路の流路幅を確保できずに被熱交換媒体の十分な流れを確保できなくなる。
【００２０】
しかしながら、第二流路を形成する伝熱プレートの被熱交換媒体流入路近傍の間隔よりも長く、且つ、各分割主流路の他方向の流路幅が被熱交換媒体流入路の入口の開口径の最小径よりも長くなるように接触部の他方向の長さを設定すると、不純物の流入を許容する被熱交換媒体流入路の入口と最初の隙間（伝熱プレート間）を通過した不純物が接触部間を通過しようとして接触部に対して一方向で重なるような状態になったとしても、不純物がくの字状になりにくく、該不純物が他方向において僅かでも接触部から出ていると、分割主流路の被熱交換媒体の流れに引き込まれ、分割主流路を介して被熱交換媒体流出路に流出することになる。
【発明の効果】
【００２１】
以上のように、本発明に係るプレート式熱交換器によれば、強度の増強を図りつつ、不純物を含んだ被熱交換媒体を円滑に流通させることができるという優れた効果を奏し得る。
【図面の簡単な説明】
【００２２】
【図１】本発明の一実施形態にかかるプレート式熱交換器の斜視図を示す。
【図２】同実施形態にかかるプレート式熱交換器の断面図であって、（ａ）は、図１のＩ−Ｉ断面を示し、（ｂ）は、図１のＩＩ−ＩＩ断面を示し、（ｃ）は、図１のＩＩＩ−ＩＩＩ断面を示す。
【図３】同実施形態にかかるプレート式熱交換器の伝熱プレートの配置を説明するための部分縦断面図であって、(ａ)は、凸条同士を接触させて第一流路を形成する伝熱部と第二流路を形成する伝熱部を含む部分縦断面図を示し、(ｂ)は、凸条同士を非接触にして第一流路を形成する伝熱部と第二流路を形成する伝熱部とを含む部分縦断面図を示す。
【図４】同実施形態にかかるプレート式熱交換器の伝熱プレートの配置を説明するための部分横断面図であって、(ａ)は、凸条同士を接触させて第一流路を形成する伝熱部と第二流路を形成する伝熱部の接触部の形成領域を含む部分横断面図を示し、(ｂ)は、凸条同士を交差衝合させて第一流路を形成する伝熱部と第二流路を形成する伝熱部の外周接触部の形成領域とを含む部分横断面図を示す。
【図５】同実施形態にかかるプレート式熱交換器の第一流路及び第二流路の態様（熱交換媒体及び被熱交換媒体の流れ）を説明するための説明図であって、（ａ）は、第二流路の説明図を示し、（ｂ）は、第一流路の説明図を示す。
【図６】同実施形態にかかるプレート式熱交換器に採用される伝熱プレートの説明図であって、（ａ）は、一方の伝熱プレートを示し、（ｂ）は、他方の伝熱プレートを示す。
【図７】同実施形態にかかるプレート式熱交換器の伝熱プレートの積層態様を説明するための説明図を示す。
【発明を実施するための形態】
【００２３】
以下、本発明の一実施形態に係るプレート式熱交換器について、添付図面を参照しつつ説明する。
【００２４】
まず、本実施形態に係るプレート式熱交換器の全体的な構成について説明すると、本実施形態に係るプレート式熱交換器は、給湯器や湯沸かし器等の種々の機器の熱交換器として採用されるもので、図１、図２（ａ）及び図２（ｂ）に示す如く、複数の伝熱プレート１０ａ，１０ｂが積層され、熱交換媒体Ｈを流通させる第一流路Ａと被熱交換媒体Ｃを流通させる第二流路Ｂとが各伝熱プレート１０ａ，１０ｂを境にして交互に形成されている。
【００２５】
そして、本実施形態に係るプレート式熱交換器１は、図３（ａ）及び図３（ｂ）に示す如く、各伝熱プレート１０ａ，１０ｂの両面に複数の凸条２０…及び凹条２１…の形成されており、凸条２０…同士が交差衝合する伝熱プレート１０ａ，１０ｂ間に第一流路Ａが形成される一方、凸条２０…同士が非接触の伝熱プレート１０ａ，１０ｂ間に第二流路Ｂが形成されている。
【００２６】
また、本実施形態に係るプレート式熱交換器１は、図２（ａ）及び図２（ｂ）に示す如く、各伝熱プレート１０ａ，１０ｂに形成された開口１２，１２，１３，１３が連なって第一流路Ａ内に熱交換媒体Ｈを流出入させる熱交換媒体流入路Ａ１及び熱交換媒体流出路Ａ２が一方向の両端部に形成されるとともに第二流路Ｂ内に被熱交換媒体Ｃを流出入させる被熱交換媒体流入路Ｂ１及び被熱交換媒体流出路Ｂ２が一方向の両端部に形成されている。
【００２７】
かかるプレート式熱交換器１は、図２（ｃ）及び図４（ａ）に示す如く、第二流路Ｂを形成すべく隣り合う伝熱プレート１０ａ，１０ｂ同士を部分的に接触させた複数の接触部１４…が一方向に所定間隔をあけて形成されている。これにより、第二流路Ｂは、図５（ａ）に示す如く、複数の接触部１４…によって一方向と直交する他方向で並列をなす二つの分割主流路Ｄ１，Ｄ２に区画されている。すなわち、複数の接触部１４…は、一方向で一列に並ぶように配置されており、第二流路Ｂは、接触部１４…の並ぶ領域（接触部１４とその間の流域を含んだ領域）を境にして二つの分割主流路Ｄ１，Ｄ２に区画されている。
【００２８】
本実施形態において、複数の接触部１４…は、伝熱プレート１０ａ，１０ｂ（後述するプレート部１０１）の一方向と直交する他方向の中央部に配置されている。また、複数の接触部１４…は、一方向における間隔Ｐが、第二流路Ｂを形成する伝熱プレート１０ａ，１０ｂ同士の被熱交換媒体流入路Ｂ１近傍の間隔Ｗ（図２（ａ）参照）よりも広く、且つ二つの分割主流路Ｄ１，Ｄ２の他方向の流路幅の最小幅ＷＲよりも狭く設定される。本実施形態に係るプレート式熱交換器１は、各分割主流路Ｄ１，Ｄ２は、一方向の全長に亘って他方向の流路幅ＷＲが均一に設定され、また、二つの分割主流路Ｄ１，Ｄ２の他方向の流路幅ＷＲは同一に設定されている。
【００２９】
従って、本実施形態において、各分割主流路Ｄ１，Ｄ２の他方向の流路幅ＷＲは、何れの部分においても最大でも最小でもあるため、複数の接触部１４…の一方向における間隔Ｐは、第二流路Ｂを形成する伝熱プレート１０ａ，１０ｂ同士の被熱交換媒体流入路Ｂ１近傍の間隔Ｗよりも広く、且つ二つの分割主流路Ｄ１，Ｄ２の他方向の流路幅ＷＲよりも狭く設定されている。
【００３０】
そして、各接触部１４…は、他方向の長さＬが、第二流路Ｂを形成する伝熱プレート１０ａ，１０ｂの被熱交換媒体流入路Ｂ１近傍の間隔Ｗ（図２（ａ）参照）よりも長く、且つ、各分割主流路Ｄ１，Ｄ２の他方向の流路幅ＷＲが被熱交換媒体流入路Ｂ１の入口の開口径の最小径Ｄ（図２（ａ）参照）よりも長くなるように設定される。
【００３１】
本実施形態において、被熱交換媒体流入路Ｂ１及びその入口は、開口形状が円形状に設定されている。従って、本実施形態に係るプレート式熱交換器１は、被熱交換媒体流入路Ｂ１及びその入口の開口径（直径）が何れの部分においても最大でも最小でもあるため、各接触部１４…は、他方向の長さＬが、第二流路Ｂを形成する伝熱プレート１０ａ，１０ｂの被熱交換媒体流入路Ｂ１近傍の間隔Ｗ（図２（ａ）参照）よりも長く、且つ、各分割主流路Ｄ１，Ｄ２の他方向の流路幅ＷＲが被熱交換媒体流入路Ｂ１の入口の直径Ｄ（図２（ａ）参照）よりも長くなるように設定されている。本実施形態にプレート式熱交換器１は、各接触部１４…の他方向の長さＬが同一に設定されている。
【００３２】
また、本実施形態に係るプレート式熱交換器１は、図４（ｂ）及び図５（ａ）に示す如く、第二流路Ｂを形成すべく隣り合う伝熱プレート１０ａ，１０ｂ（プレート部１０１）の外周端部同士を部分的に接触させた複数の外周接触部１５…が一方向に所定間隔をあけて形成されている。本実施形態において、複数の外周接触部１５…は、伝熱プレート１０ａ，１０ｂの他方向の両端部に形成されており、複数の接触部１４と同様に一方向に間隔をあけて形成されている。なお、該複数の外周接触部１５…は、第二流路Ｂを形成する伝熱プレート１０ａ，１０ｂを非接触の状態で配置するため（伝熱プレート１０ａ，１０ｂの間隔を維持させるため）に設けられたもので、各外周接触部１５…は、前記接触部１４…とは異なり、一方向及び他方向の長さが隣り合う（相手方）の伝熱プレート１０ａ，１０ｂとの接触に必要な最小限の長さに設定されている。
【００３３】
本実施形態に係るプレート式熱交換器１の全体的な構成は以上の通りであり、次に、上記プレート式熱交換器１に採用される伝熱プレート１０ａ，１０ｂについて具体的に説明する。
【００３４】
本実施形態に係るプレート式熱交換器１は、図６（ａ）及び図６（ｂ）に示す如く、伝熱プレート１０ａ，１０ｂに凸凹態様を異にする二種類の伝熱プレートが採用されている。
【００３５】
二種類の伝熱プレート１０ａ，１０ｂは、何れもステンレス合金やチタン合金製の平板をプレス成形したもので、第一流路Ａと第二流路Ｂとを仕切る伝熱部１００を含む平面視長方形状のプレート部１０１と、該プレート部１０１の外周の全周から該プレート部１０１の一方面側に延出した嵌合部１０２とを備えている。
【００３６】
プレート部１０１は、熱交換媒体流入路Ａ１、熱交換媒体流出路Ａ２、被熱交換媒体流入路Ｂ１及び被熱交換媒体流出路Ｂ２を形成するための開口１２，１２，１３，１３が四隅に形成されている。そして、プレート部１０１は、一方向の両端部間に前記伝熱部１００が形成されている。
【００３７】
前記伝熱部１００は、表裏両面に複数の凸条２０…及び凹条２１…が交互に形成されている。前記凸条２０…及び凹条２１…は、該伝熱部１００の長手方向の中心線（基準線）に対して傾斜状態で延びるように形成されている。本実施形態において、凸条２０…及び凹条２１…は、中心線を境に、伝熱部１００の短手方向の一端側の領域と、伝熱部１００の短手方向の他端側の領域とで鏡像状態をなすように形成され、平面視において、いわゆる、ヘリングボーン形状（魚の骨形状）を呈し、断面において波形状を呈している。なお、伝熱部１００は、上述の如く、プレス成形によって形成されたものであるため、一方の面の凸条２０…の裏面（他方の面）は凹条２１…となり、一方の面の凹条２１…の裏面は凸条２０…となっている。
【００３８】
そして、各伝熱プレート１０ａ，１０ｂは、第二流路Ｂ側（伝熱部１００の第二流路Ｂを形成する面側）に部分的に突出した複数の主突出部１０３…がプレート部１０１の長手方向（上記一方向と対応する方向）に間隔をあけて一列をなすように伝熱部１００上に形成されている。また、本実施形態においては、各伝熱プレート１０ａ，１０ｂは、第二流路Ｂ側（伝熱部１００の第二流路Ｂを形成する面側）に部分的に突出した複数の外周突出部１０４…がプレート部１０１の短手方向の両端部に長手方向に間隔をあけて形成されている。
【００３９】
そして、二種類の伝熱プレート１０ａ，１０ｂは、これらを交互に重ね合わせた状態で第二流路Ｂを形成する面側において、互いの主突出部１０３同士が接触するようになっている。すなわち、二種類の伝熱プレート１０ａ，１０ｂは、互いの主突出部１０３，１０３同士が接触して複数の接触部１４…を形成するようになっている。
【００４０】
また、本実施形態においては、上述の如く、二種類の伝熱プレート１０ａ，１０ｂは、これらを交互に重ね合わせた状態で、第二流路Ｂを形成する面側において、互いの外周突出部１０４，１０４同士が接触するようになっている。すなわち、二種類の伝熱プレート１０ａ，１０ｂは、互いの外周突出部１０４，１０４同士が接触して外周接触部１５…を形成するようになっている。
【００４１】
そして、各伝熱プレート１０ａ，１０ｂの主突出部１０３…は、複数の接触部１４…を形成した状態で対向する伝熱部１００同士（凸条２０，２０同士）が非接触になるように突出量が設定されている。また、外周突出部１０４も同様である。
【００４２】
そして、各伝熱プレート１０ａ，１０ｂは、伝熱部１００上に形成される複数の主突出部１０３…の間隔が第二流路Ｂを形成する伝熱プレート１０ａ，１０ｂ同士の被熱交換媒体流入路Ｂ１近傍の間隔Ｗよりも広く、且つプレート部１０１の短手方向の半分以下の長さ（主突出部１０３の短手方向の何れか一端からプレート部１０１の端縁までの長さＷＲ）よりも狭く設定されている。
【００４３】
また、本実施形態において、各伝熱プレート１０ａ，１０ｂは、伝熱部１００上に形成される各主突出部１０３のプレート部１０１の短手方向の長さＬが、第二流路Ｂを形成する伝熱プレート１０ａ，１０ｂの被熱交換媒体流入路Ｂ１近傍の間隔Ｗよりも長く、且つ、主突出部１０３の短手方向の何れか一端からプレート部１０１の端縁までの長さ（分割主流路Ｄ１，Ｄ２の流路幅ＷＲと対応する長さ）ＷＲが被熱交換媒体流入路Ｂ１（その入口）の直径Ｄよりも長くなるように設定されている。
【００４４】
図１及び図２に戻り、前記嵌合部１０２は、伝熱プレート１０ａ，１０ｂ…同士を積層した状態で、隣接する伝熱プレート１０ａ，１０ｂ…の嵌合部１０２に嵌合できるように形成され、該嵌合部１０２，１０２同士がロウ付けされることにより、前記伝熱部１００，１００間（第一流路Ａ及び第二流路Ｂ）を封止できるようになっている。
【００４５】
そして、本実施形態に係るプレート式熱交換器１は、図２（ａ）及び図２（ｂ）に示す如く、プレート部１０１の四隅の開口１２，１２，１３，１３のうち、該伝熱部１００の長手方向の一端側で短手方向の一端側の開口１２…が連なって熱交換媒体流入路Ａ１が形成され、伝熱部１００の長手方向の他端側で短手方向の他端側の開口１２…が連なって熱交換媒体流出路Ａ２が形成されている。また、伝熱部１００の四隅の開口１２，１２，１３，１３のうち、該伝熱部１００の長手方向の他端側で短手方向の一端側の開口１３…が連なって被熱交換媒体流入路Ｂ１が形成され、伝熱部１００の長手方向の一端側で短手方向の他端側の開口１３…が連なって被熱交換媒体流出路Ｂ２が形成されている。これにより、該プレート式熱交換器１は、図５（ａ）及び図５（ｂ）に示す如く、第一流路Ａ及び第二流路Ｂ内で斜傾流を形成するようになっている。
【００４６】
各伝熱プレート１０ａ，１０ｂの基本構成は以上の通りであるが、二種類の伝熱プレート１０ａ，１０ｂのうち、一方の伝熱プレート１０ａは、図６（ａ）に示す如く、長手方向の一端側で短手方向の一端側の開口１２の周辺部と、長手方向の他端側で短手方向の他端側の開口１２の周辺部とが、伝熱部１００の他方面（図において奥側）側に膨出（凸出）して形成され、長手方向の一端側で短手方向の他端側の開口１３の周辺部と、長手方向の他端側で短手方向の一端側の開口１３の周辺部とが、伝熱部１００の他方面側で凹む（一方面側に膨出（凸出）する）ように形成されている。なお、図６において波線のハッチングを付した領域が、紙面に対して手前側に凸をなし、斜めのハッチングを付した領域が、紙面に対して奥側に凸をなしている。
【００４７】
他方の伝熱プレート１０ｂは、図６（ｂ）に示す如く、長手方向の一端側で短手方向の一端側の開口１２の周辺部と、長手方向の他端側で短手方向の他端側の開口１２の周辺部とが、伝熱部１００の他方面側で凹む（一方面側に膨出（凸出）する）ように形成され、長手方向の一端側で短手方向の他端側の開口１３の周辺部と、長手方向の他端側で短手方向の一端側の開口１３の周辺部が、伝熱部１００の他方面（図において奥側）側に膨出（凸出）して形成されている。
【００４８】
これにより、二種類の伝熱プレート１０ａ，１０ｂを積層した状態で、対向する伝熱部１００，１００の開口１２，１２，１３，１３の凸出した周辺部同士が密接し、各伝熱プレート１０ａ，１０ｂの伝熱部１００の長手方向の一端側で短手方向の一端側にある開口１２が連なって、第一流路Ａにのみ連通する熱交換媒体流入路Ａ１となり、長手方向の他端側で短手方向の他端側にある開口１２が連なって、第一流路Ａにのみ連通する熱交換媒体流入路Ａ１となる一方、伝熱部１００の長手方向の他端側で短手方向の一端側の開口１３が連なって、第二流路Ｂにのみ連通する被熱交換媒体流入路Ｂ１となり、伝熱部１００の長手方向の一端側で短手方向の他端側の開口１３が連なって、第二流路Ｂにのみ連通する被熱交換媒体流出路Ｂ２になるようになっている（図２（ａ）及び図２（ｂ）参照）。
【００４９】
上述のように、基本構成が同一で開口１２，１３の周辺部の凹凸態様を異にする二種類の伝熱プレート１０ａ，１０ｂを採用することを前提に、本実施形態に係るプレート式熱交換器１は、図７に示す如く、上層側から下層側に向けて同種の伝熱プレート１０ａ，１０ｂを積層順に伝熱部１００の面上において１８０°反転させるようにして、二種類の伝熱プレート１０ａ，１０ｂを交互に積層されている。
【００５０】
これにより、一方の伝熱プレート１０ａの一方面側と他方の伝熱プレート１０ｂの他方面側（対向した伝熱部１００）の凸条２０…同士が交差衝合した態様となり、図３（ａ）に示す如く、伝熱部１００が部分的に接触した領域と、図３（ｂ）に示す如く、伝熱部１００同士が非接触の領域とを有する第一流路Ａが形成される。そして、図４（ａ）に示す如く、隣り合う伝熱プレート１０ａ，１０ｂの主突出部１０３，１０３同士が接触する（接触部１４が形成される）とともに、図４（ｂ）に示す如く、外周突出部１０４，１０４同士が接触する（外周接触部１５が形成される）ことで、プレート式熱交換器１の内部において、他方の伝熱プレート１０ｂの一方面（伝熱部１００の凸条２０…及び凹条２１…の形成された領域）と一方の伝熱プレート１０ａの他方面（伝熱部１００の凸条２０…及び凹条２１…の形成された領域）とが接触部１４…を除く領域が非接触で対向し、その対向領域（伝熱部１００，１００）間に第二流路Ｂ（二つの分割主流路Ｄ１，Ｄ２）が形成される。なお、本実施形態に係るプレート式熱交換器１は、上述の如く、同種の伝熱プレート１０ａ，１０ｂを１８０°反転させるようにして積層するようにしているため、第二流路Ｂを形成する伝熱プレート１０ａ，１０ｂの凸条２０…及び凹条２１…同士が平行又は略平行な状態になっている。
【００５１】
本実施形態においては、二種類の伝熱プレート１０ａ，１０ｂの凸条２０…、凹条２１…の形状、配置、及びサイズを同一に設定しているため、第二流路Ｂを形成する伝熱部１００，１００は、凸条２０…及び凹条２１同士が略平行をなし、一方の伝熱プレート１０ａの凹条２１に他方の伝熱プレート１０ｂの凸条２０を対向させた態様をなしている。また、主突出部１０３、外周突出部１０４，１０４の高さ設定により、第二流路Ｂを形成する伝熱部１００，１００は、非接触状態（所定の間隔）を維持しつつ一方の伝熱プレート１０ａの凹条２１に他方の伝熱プレート１０ｂの凸条２０が入り込んだ態様をなしている。
【００５２】
なお、本実施形態に係るプレート式熱交換器１は、図１に示す如く、積層された状態で最も外側に位置する一方の伝熱プレート１０ａのみに、配管接続される筒状のノズル３０ａ，３０ｂ，３０ｃ，３０ｄを四隅部分の開口１２，１２，１３，１３の周辺部に接続したものを採用し、最も外側に位置する他方の伝熱プレート１０ｂのみに開口１２，１２，１３，１３が形成されていないもの（図示しない）を採用している。
【００５３】
そして、本実施形態に係るプレート式熱交換器１は、最も外側にある一方の伝熱プレート１０ａとこれに隣接する他方の伝熱プレート１０ｂ…との間に第二流路Ｂを形成し、最も外側にある他方の伝熱プレート１０ｂ…とこれに隣接する伝熱プレート１０ａ…との間に第二流路Ｂを形成するように、上述の如く、複数の伝熱プレート１０ａ，１０ｂ…が順々に積層されている。
【００５４】
そして、該プレート式熱交換器１は、積層状態にある伝熱プレート１０ａ，１０ｂ…同士の接触する部位（第一流路Ａを形成する伝熱部１００の凸条２０…同士、嵌合部１０２，１０２同士、開口１２，１２，１３，１３の周辺部同士、主突出部１４，１４同士、外周突出部１５，１５同士）が溶着（ロウ付け）されることにより一体的に構成されている。なお、ロウ付けは、複数の伝熱プレート１０ａ，１０ｂ…を積層するに当って伝熱プレート１０ａ，１０ｂ…間に銅板（銅箔）等を介装しておき、これを全体的に加熱して溶かすことによって行われる。
【００５５】
本実施形態に係るプレート式熱交換器１は、以上の構成からなり、次に、上記構成のプレート式熱交換器１の作動について、該プレート式熱交換器１を給湯器に採用した場合を一例にして説明する。
【００５６】
該プレート式熱交換器１は、熱交換媒体流入路Ａ１のノズル３０ａが高温水等の熱交換媒体Ｈを供給する配管に液密に接続される一方、熱交換媒体流出路Ａ２のノズル３０ｂが熱交換媒体Ｈを再加熱するための加熱源に繋がる配管に接続される。これにより、当該プレート式熱交換器１は、熱交換媒体Ｈの加熱循環経路の一部を構成することになる。
【００５７】
他方、被熱交換媒体流入路Ｂ１のノズル３０ｃは、ポンプを介して浴槽に接続された往路配管に接続され、被熱交換媒体流出路Ｂ２のノズル３０ｄは、浴槽に接続された復路配管に接続される。これにより、該プレート式熱交換器１は、浴槽内の水（温水）を循環させる循環経路の一部を構成することになる。
【００５８】
そして、各循環経路で熱交換媒体Ｈ及び被熱交換媒体Ｃを循環させると、第一流路Ａを流通する熱交換媒体Ｈと、第二流路Ｂを流通する被熱交換媒体Ｃとが、伝熱プレート１０ａ，１０ｂ…（伝熱部１００）を介して熱交換されることになる。この際、熱交換媒体Ｈは、対向する凸条２０…及び凹条２１…の存在で流れに適度な乱れを生じさせつつ、凸条２０…同士の衝合した部位を躱すように迂曲して第一流路Ａ内を流通し、該熱交換媒体Ｈの熱が効率よく伝熱部１００に伝達される。
【００５９】
他方、第二流路Ｂにおいては、第一流路Ａとは異なり、対向する伝熱部１００が非接触状態であるため、被熱交換媒体Ｃは、伝熱部１００間を抜けるようにして（凸条２０…及び凹条２１…の形状に沿うように）、被熱交換媒体流入路Ｂ１から被熱交換媒体流出路Ｂ２に向けて流通し、伝熱プレート１０ａ，１０ｂ…（伝熱部１００）を介して伝わる熱交換媒体Ｈの熱を受け、熱交換媒体Ｈと被熱交換媒体Ｃとの熱交換が行われることになる。そして、湯垢等の不純物を含んだ浴槽内の温水（湯）が循環されたとしても、該被熱交換媒体Ｃを流通させる第二流路Ｂ（各分割主流路Ｄ１，Ｄ２）には、不純物を堆積させるような凸条２０同士が接触した部分が存在しないため、第二流路Ｂ内に不純物が堆積されることなく、被熱交換媒体Ｃの循環が長期に亘って円滑に行われることになる。
【００６０】
本実施形態に係るプレート式熱交換器１は、第二流路Ｂを形成する伝熱部１００同士を部分的に接触させた複数の接触部１４…が一方向で所定間隔Ｐをあけて形成され、第二流路Ｂは、複数の接触部１４…によって一方向と直交する他方向で並列をなす二つの分割主流路Ｄ１，Ｄ２に区画されているので、第二流路Ｂを形成する伝熱部１００，１００同士が拘束し合うことになり、伝熱部１００の裏側（第二流路Ｂ）を流れる被熱交換媒体Ｃの流体圧が伝熱部１００に作用しても、伝熱部１００の変形等が防止される。
【００６１】
そして、上記プレート式熱交換器１は、被熱交換媒体流入路Ｂ１から流入した被熱交換媒体Ｃは、一方向で所定間隔Ｐをあけて形成された複数の接触部１４…によって区画された各分割主流路Ｄ１，Ｄ２で被熱交換媒体流出路Ｂ２に向けて流れることになる。
【００６２】
そして、各分割主流路Ｄ１，Ｄ２は、一端側から他端側に真っ直ぐに延びる流路であるため、各分割主流路Ｄ１，Ｄ２で被熱交換媒体Ｃが一方向に高速で流れることになる。そのため、第二流路Ｂ内に不純物が流れ込んでも当該不純物は、各分割主流路Ｄ１，Ｄ２の流速の早い中央に引き込まれることになる結果、一方向に間隔をあけて配置された接触部１４…に引っ掛かることなく下流側に流れて被熱交換媒体流出路Ｂ２から流出することになる。また、第二流路Ｂを形成する伝熱部１００においても凸条２０及び凹条２１が形成されているため、伝熱面積を広くすることができる上に、凸条２０及び凹条２１の凹凸形状で被熱交換媒体Ｃの流れに適度な乱れを与えつつ該被熱交換媒体Ｃを流通させることができ、伝熱部１００，１００を介して第一流路Ａ内を流通する熱交換媒体Ｈとの熱交換を効率的に行うことができる。
【００６３】
また、本実施形態においては、前記複数の接触部１４…は、プレート部１０１の短手方向（伝熱プレート１０ａ，１０ｂの一方向と直交する他方向）の中央を通るように形成され、複数の接触部１４…の間隔Ｐは、伝熱部１００同士が第二流路Ｂを形成する伝熱プレート１０ａ，１０ｂ同士の被熱交換媒体流入路Ｂ１近傍の間隔Ｗよりも広く、且つ二つの分割主流路Ｄ１，Ｄ２の他方向の流路幅の最小幅ＷＲよりも狭く設定されているため、第二流路Ｂに流入した不純物が仮に分割主流路Ｄ１，Ｄ２から外れて接触部１４，１４間を通過しようとしても、接触部１４，１４間の間隔Ｐが伝熱プレート１０ａ，１０ｂの被熱交換媒体流入路Ｂ１近傍の間隔Ｗよりも広いため、接触部１４，１４間をスムーズに通過することになり、隣の分割主流路Ｄ１，Ｄ２に流れ込むことになる。すなわち、伝熱プレート１０ａ，１０ｂの被熱交換媒体流入路Ｂ１近傍の間隔Ｗは、不純物の通過を許容する最小間隔であるため、接触部１４，１４の間隔をそれよりも広くすることで不純物が接触部１４，１４間（両接触部１４，１４）に引っ掛かってしまうことがない。また、接触部１４，１４の間隔Ｐを分割主流路Ｄ１，Ｄ２の流路幅ＷＲよりも狭く設定することで、分割主流路Ｄ１，Ｄ２での被熱交換媒体Ｃの流れが主たる流れとなって接触部１４，１４間に入り込もうとする状態になりにくくなる。
【００６４】
さらに、本実施形態に係るプレート式熱交換器１は、各接触部１４…の他方向の長さＬは、伝熱部１００，１００同士が第二流路Ｂを形成する伝熱プレート１０ａ，１０ｂの被熱交換媒体流入路Ｂ１近傍の間隔Ｗよりも長く、且つ、各分割主流路Ｄ１，Ｄ２の他方向の流路幅ＷＲが被熱交換媒体流入路Ｂ１の最小径Ｄより広くなるように設定されているため、第二流路Ｂに流入した不純物が接触部１４，１４間を通過するような状態になっても、接触部１４に繊維状の不純物が引っ掛かりにくくなる。すなわち、接触部１４が他方向の長さＬが短すぎると、髪の毛等の繊維状の不純物が接触部１４にくの字状になって引っ掛かり、このような状態になると繊維状の不純物は両側の分割主流路Ｄ１，Ｄ２を流れる被熱交換媒体Ｃの流れによって両側が引っ張られた状態になるため、接触部１４に対する引っ掛かりが解消できなくなる。これに対し、接触部１４の他方向の長さＬが長すぎると、分割主流路Ｄ１，Ｄ２の流路幅を確保できずに被熱交換媒体Ｃの十分な流れを確保できなくなる。
【００６５】
しかしながら、本実施形態に係るプレート式熱交換器１のように、伝熱部１００，１００同士が第二流路Ｂを形成する伝熱プレート１０ａ，１０ｂの被熱交換媒体流入路Ｂ１近傍の間隔Ｗよりも長く、且つ、各分割主流路Ｄ１，Ｄ２の他方向の流路幅ＷＲが被熱交換媒体流入路Ｂ１の最小径Ｄより広くなるように接触部１４の他方向の長さＬを設定すると、不純物の流入を許容する最初の隙間（伝熱プレート１０ａ，１０ｂ間）を通過した不純物が接触部１４，１４間を通過しようとして接触部１４に対して一方向で重なるような状態になったとしても、不純物がくの字状になりにくく、該不純物が他方向において僅かでも接触部１４から出ていると、分割主流路Ｄ１，Ｄ２の被熱交換媒体Ｃの流れに引き込まれ、分割主流路Ｄ１，Ｄ２を介して被熱交換媒体流出路Ｂ２に流出することになる。
【００６６】
そして、本実施形態に係るプレート式熱交換器１は、伝熱プレート１０ａ，１０ｂの一端側の開口１３…が連なって被熱交換媒体流入路Ｂ１が形成されるとともに伝熱プレート１０ａ，１０ｂの他端側の開口１３…が連なって熱交換媒体流入路Ａ１が形成され、各伝熱プレート１０ａ，１０ｂの一端側を下側にするとともに他端側を上側にして配置されるため、不純物が上方に向けて流れることになり、流速が遅くなった場合や流れが無くなったときに、下方側（被熱交換媒体流入路Ｂ１側）に落ちることになる。そして、このときに不純物が接触部１４に引っ掛かったとしても、被熱交換媒体Ｃを流通させたときに、その流れによって接触部１４に対する不純物の引っ掛かりが解消され、該不純物を分割主流路Ｄ１，Ｄ２で流通させて被熱交換媒体流出路Ｂ２から流出させることができる。
【００６７】
尚、本発明のプレート式熱交換器は、上記実施形態に限定されるものではなく、本発明の要旨を逸脱しない範囲内において種々変更を加え得ることは勿論である。
【００６８】
上記実施形態において、プレート式熱交換器１を浴槽の湯を追い焚きするための熱交換器として説明したが、これに限定されるものではなく、前記プレート式熱交換器１は、被熱交換媒体Ｃを流通させる配管系（循環系）が、外部から何らかの不純物が入り込むような開放型であれば有効に機能する。もちろん、被熱交換媒体Ｃを流通させる配管系（循環系）が、外部から何ら不純物が入り込むことのない閉塞型の配管系等であっても採用できることは言うまでもない。
【００６９】
上記実施形態において、非接触状態を維持しつつ対向する凹条２１…に凸条２０…が入り込んだ態様の伝熱部１００間に第二流路Ｂを形成するようにしたが、これに限定されるものではなく、第二流路Ｂ（分割主流路Ｄ１，Ｄ２）を形成する伝熱部１００，１００の凸条２０…及び凹条２１…の形成された領域同士が非接触となることを前提に、例えば、第二流路Ｂを形成する伝熱部１００の凸条２０…同士が対向するように、各伝熱部１００の凸条２０…及び凹条２１を形成するようにしたり、第二流路Ｂを形成する伝熱部１００の凸条２０…同士が交差するように、各伝熱部１００の凸条２０…及び凹条２１…を形成するようにしたりしてもよい。このようにしても、互いの凸条２０…同士が非接触となるため、上記実施形態と同様の作用、効果を奏することができる。
【００７０】
上記実施形態において、複数の接触部１４…をプレート部１０１（伝熱プレート１０ａ，１０ｂ）の短手方向の中央で一列に並ぶように配置したが、これに限定されるものではなく、例えば、複数の接触部１４は、プレート部１０１の短手方向の何れか一端側にずれた位置で一列に配置するようにしてもよい。このようにしても、複数の接触部１４…で区画された二つの分割主流路Ｄ１，Ｄ２がプレート部１０１の一端から他端に向けて真っ直ぐに形成されるため、各分割主流路Ｄ１，Ｄ２の中央での流速が早くなる結果、不純物を下流側に流すことができる。なお、不純物の確実な流通を確保するために、各分割主流路Ｄ１，Ｄ２の短手方向の流路幅ＷＲは、伝熱プレート１０ａ，１０ｂの被熱交換媒体流入路Ｂ１近傍の間隔よりも広くすることが好ましい。
【００７１】
上記実施形態において、前記複数の接触部１４…は、プレート部１０１の短手方向（伝熱プレート１０ａ，１０ｂの一方向と直交する他方向）の中央を通るように形成され、複数の接触部１４…の間隔は、伝熱部１００同士が第二流路Ｂを形成する伝熱プレート１０ａ，１０ｂ同士の被熱交換媒体流入路Ｂ１近傍の間隔よりも広く、且つ二つの分割主流路Ｄ１，Ｄ２の他方向の流路幅の最小幅ＷＲよりも狭く設定されたが、これに限定されるものではなく、複数の接触部１４の間隔は、伝熱部１００同士が第二流路Ｂを形成する伝熱プレート１０ａ，１０ｂ同士の被熱交換媒体流入路Ｂ１近傍の間隔Ｗよりも狭く、且つ二つの分割主流路Ｄ１，Ｄ２の他方向の流路幅の最小幅ＷＲよりも広く設定されてもよい。このようにしても複数の接触部１４…が第二流路Ｂを真っ直ぐに延びる二つの分割主流路Ｄ１，Ｄ２に区画するため、各分割主流路Ｄ１，Ｄ２で被熱交換媒体Ｃ及びこれに含まれる不純物を高速で下流側に流すことができる。なお、不純物の詰まりを確実に防止するには、上記実施形態と同様に、前記複数の接触部１４…を、プレート部１０１の短手方向（伝熱プレート１０ａ，１０ｂの一方向と直交する他方向）の中央を通るように形成し、複数の接触部１４…の間隔を、伝熱部１００同士が第二流路Ｂを形成する伝熱プレート１０ａ，１０ｂ同士の被熱交換媒体流入路Ｂ１近傍の間隔よりも広く、且つ二つの分割主流路Ｄ１，Ｄ２の他方向の流路幅の最小幅ＷＲよりも狭く設定することが好ましいことは言うまでもない。
【００７２】
上記実施形態において、各接触部１４…の他方向の長さＬを、伝熱部１００，１００同士が第二流路Ｂを形成する伝熱プレート１０ａ，１０ｂの被熱交換媒体流入路Ｂ１近傍の間隔Ｗよりも長く、且つ、各分割主流路Ｄ１，Ｄ２の他方向の流路幅ＷＲが被熱交換媒体流入路Ｂ１の最小径Ｄより広くなるように設定したが、これに限定されるものではなく、接触部１４…の他方向の長さＬを、伝熱部１００，１００同士が第二流路Ｂを形成する伝熱プレート１０ａ，１０ｂの被熱交換媒体流入路Ｂ１近傍の間隔Ｗよりも短く、且つ、各分割主流路Ｄ１，Ｄ２の他方向の流路幅ＷＲが被熱交換媒体流入路Ｂ１の最小径Ｄより狭くなるように設定してもよい。このようにしても複数の接触部１４…が第二流路Ｂを真っ直ぐに延びる二つの分割主流路Ｄ１，Ｄ２に区画するため、各分割主流路Ｄ１，Ｄ２で被熱交換媒体Ｃ及びこれに含まれる不純物を高速で下流側に流すことができる。なお、不純物の詰まりを確実に防止するには、上記実施形態と同様に、各接触部１４…の他方向の長さＬを、伝熱部１００，１００同士が第二流路Ｂを形成する伝熱プレート１０ａ，１０ｂの被熱交換媒体流入路Ｂ１近傍の間隔Ｗよりも長く、且つ、各分割主流路Ｄ１，Ｄ２の他方向の流路幅ＷＲが被熱交換媒体流入路Ｂ１の最小径Ｄより広くなるように設定することが好ましいことは言うまでもない。
【００７３】
上記実施形態において、伝熱プレート１０ａ，１０ｂの一端側の開口１２…が連なって被熱交換媒体流入路Ｂ１が形成されるとともに伝熱プレート１０ａ，１０ｂの他端側の開口１３…が連なって熱交換媒体流入路Ａ１が形成され、伝熱プレート１０ａ，１０ｂの一端側を下側にするとともに他端側を上側にして配置するようにしたが、これに限定されるものではなく、例えば、伝熱プレート１０ａ，１０ｂの他端側の開口１３…が連なって被熱交換媒体流入路Ｂ１が形成されるとともに伝熱プレート１０ａ，１０ｂの一端側の開口１２…が連なって熱交換媒体流入路Ａ１が形成され、各伝熱プレート１０ａ，１０ｂの一端側を下側にするとともに他端側を上側にして配置するようにしてもよい。このようにしても複数の接触部１４…が第二流路Ｂを真っ直ぐに延びる二つの分割主流路Ｄ１，Ｄ２に区画するため、各分割主流路Ｄ１，Ｄ２で被熱交換媒体Ｃ及びこれに含まれる不純物を高速で下流側に流すことができる。なお、不純物の詰まりを確実に防止するには、上記実施形態と同様の配置にすることが好ましいことは言うまでもない。
【００７４】
上記実施形態において、複数の接触部１４…のそれぞれの他方向の長さＬを一定に設定しているが、これに限定されるものではなく、各接触部１４…の他方向の長さＬを異なる長さに設定してもよい。この場合、複数の接触部１４…の両側にある分割主流路Ｄ１，Ｄ２の他方向の流路幅ＷＲが一方向における各位置で異なることになるため、上記実施形態のように複数の接触部１４…の一方向の間隔Ｐを設定する場合、第二流路Ｂを形成する伝熱プレート１０ａ，１０ｂ同士の被熱交換媒体流入路Ｂ１近傍の間隔Ｗよりも広く、且つ二つの分割主流路Ｄ１，Ｄ２の他方向の流路幅の最小幅ＷＲよりも狭く設定すればよい。
【００７５】
上記実施形態において、伝熱プレート１０ａ，１０ｂ（プレート部１０１）の一方向の両端部の開口１２，１３を円形状に形成し、熱交換媒体流入路Ａ１、熱交換媒体流出路Ａ２、被熱交換媒体流入路Ｂ１、被熱交換媒体流出路Ｂ２の断面形状、及びこれらの出入口を円形状に形成したが、これに限定されるものではなく、例えば、伝熱プレート１０ａ，１０ｂの開口１２，１３を非円形状に形成してもよい。この場合、被熱交換媒体流入路Ｂ１及びその入口が非円形状に形成されるため、上記実施形態のように接触部１４…の他方向の長さＬを設定する場合、第二流路Ｂを形成する伝熱プレート１０ａ，１０ｂの被熱交換媒体流入路Ｂ１近傍の間隔Ｗよりも長く、且つ、各分割主流路Ｄ１，Ｄ２の他方向の流路幅ＷＲが被熱交換媒体流入路Ｂ１の入口の開口径の最小径（最も狭い部分の径）Ｄよりも長くなるように接触部１４…の他方向の長さを設定すればよい。
【符号の説明】
【００７６】
１…プレート式熱交換器、１０ａ，１０ｂ…伝熱プレート、１２，１３…開口、１４…接触部、１５…外周接触部、２０…凸条、２１…凹条、３０ａ，３０ｂ，３０ｃ，３０ｄ…ノズル、１００…伝熱部、１０１…プレート部、１０２…嵌合部、１０３…主突出部、１０４…外周突出部、Ａ…第一流路、Ａ１…熱交換媒体流入路、Ａ２…熱交換媒体流出路、Ｂ…第二流路、Ｂ１…被熱交換媒体流入路、Ｂ２…被熱交換媒体流出路、Ｃ…被熱交換媒体、Ｄ１，Ｄ２…分割主流路、Ｈ…熱交換媒体、Ｈ…被熱交換媒体
【図１】
2010085094.tif 000003
【図２】
2010085094.tif 000004
【図３】
2010085094.tif 000005
【図４】
2010085094.tif 000006
【図５】
2010085094.tif 000007
【図６】
2010085094.tif 000008
【図７】
2010085094.tif 000009